(57)【要約】【課題】ユーザーの利便性を向上する。【解決手段】タブレット端末装置１００は、タッチパネル１及び制御部２を備える。制御部２は、第１表示部２１１と、判定部２１２と、第２表示部２１３と、調整部２１５とを備える。第１表示部２１１は、第１ファイルＦ１に対応付けられた第１アイコンＪＣ１をタッチパネル１に表示する。判定部２１２は、第１アイコンＪＣ１に対して特定の操作が行われたか否かを判定する。第２表示部２１３は、第１アイコンＪＣ１に対して特定の操作が行われたと判定部２１２が判定した場合に、第１ファイルＦ１に対応付けられた第２アイコンＪＣ２をタッチパネル１に表示する。調整部２１５は、第２アイコンＪＣ２の向きＤＪと第２アイコンＪＣ２のサイズＳＪとを調整する。【選択図】図３
2019144989.tif 000002
【特許請求の範囲】
【請求項１】
ディスプレーと、
第１ファイルに対応付けられた第１アイコンを前記ディスプレーに表示する第１表示部と、
前記第１アイコンに対して特定の操作が行われたか否かを判定する判定部と、
前記第１アイコンに対して前記特定の操作が行われたと前記判定部が判定した場合に、前記第１ファイルに対応付けられた第２アイコンを前記ディスプレーに表示する第２表示部と、
前記第２アイコンの向きと前記第２アイコンのサイズとを調整する調整部と
を備える、表示制御装置。
【請求項２】
前記調整部は、前記第２アイコンの向きに応じて、前記第２アイコンを前記ディスプレーに表示する位置を決定する、請求項１に記載の表示制御装置。
【請求項３】
ユーザーの向きを検出する検出部を更に備え、
前記調整部は、前記検出部の検出結果に基づいて、前記第２アイコンの向きを調整する、請求項１又は請求項２に記載の表示制御装置。
【請求項４】
ユーザーの指紋の向き及び視線の向きの少なくとも一方を検出する検出部を更に備え、
前記調整部は、前記検出部の検出結果に基づいて、前記第２アイコンの向きを調整する、請求項１から請求項３のいずれか１項に記載の表示制御装置。
【請求項５】
前記第２アイコンを用いて前記第１ファイルを起動する場合の起動制限を決定する決定部を更に備え、
前記起動制限は、前記ディスプレーのサイズに応じて、起動可能なファイルの個数の最大値を示す、請求項１から請求項４のいずれか１項に記載の表示制御装置。
【請求項６】
前記決定部は、前記第２アイコンを用いて前記第１ファイルを起動する場合の編集可否を決定する、請求項５に記載の表示制御装置。
【請求項７】
編集部を更に備え、
前記編集部は、前記第２アイコンを用いて前記第１ファイルを起動して編集を行った場合に、編集後の前記第１ファイルに特定ファイル名を付与して記憶し、
前記特定ファイル名は、前記第１ファイルのファイル名と相違し、且つ、前記第１ファイルに関連するファイルであることを示す、請求項１から請求項６のいずれか１項に記載の表示制御装置。
【請求項８】
前記第１アイコンを用いて前記第１ファイルを起動する旨の操作に応じて、前記特定ファイル名が付されたファイルを起動する起動部を更に備える、請求項７に記載の表示制御装置。
【請求項９】
前記特定ファイル名が付されたファイルにおいて、前記第１ファイルの内容と相違する箇所を抽出する抽出部と、
前記相違する箇所を、前記第１ファイルの内容に反映する反映部と
を更に備える、請求項７又は請求項８に記載の表示制御装置。
【請求項１０】
前記ディスプレーは、複数の入力装置と通信可能に接続され、
前記複数の入力装置の各々を前記第２アイコンの向きに対応付ける紐付部を更に備える、請求項１から請求項９のいずれか１項に記載の表示制御装置。
【請求項１１】
前記ディスプレーは、複数のディスプレーで構成されており、
前記複数のディスプレーの各々を前記第２アイコンの向きに対応付ける紐付部を更に備える、請求項１から請求項１０のいずれか１項に記載の表示制御装置。
【請求項１２】
前記第２アイコンは、前記第２アイコンを使用するユーザーを示す画像を含む、請求項１から請求項１１のいずれか１項に記載の表示制御装置。
【発明の詳細な説明】
【技術分野】
【０００１】
本発明は、表示制御装置に関する。
【背景技術】
【０００２】
特許文献１に記載の表示制御装置は、ディスプレーと制御部とを備える。制御部は、ユーザーの操作に応じて、アイコンをコピーし、特定の向きに回転し、ディスプレーに配置する。制御部は、ユーザーのアイコンに対する長押し操作に応じて、アイコンと同じ向きにウィンドウを開き、ファイルを起動する。
【先行技術文献】
【特許文献】
【０００３】
【特許文献１】特開２０１５−４１３３６号公報
【発明の概要】
【発明が解決しようとする課題】
【０００４】
しかしながら、特許文献１に記載の表示制御装置では、複数のアイコンがディスプレーに配置された場合に、ユーザーは、自分が使用するアイコンを判別し難い可能性がある。したがって、ユーザーの利便性が充分ではない可能性がある。
【０００５】
本発明は、上記課題に鑑みてなされたものであり、ユーザーの利便性を向上可能な表示制御装置を提供することを目的としている。
【課題を解決するための手段】
【０００６】
本発明に係る表示制御装置は、ディスプレーと、第１表示部と、判定部と、第２表示部と、調整部とを備える。前記第１表示部は、第１ファイルに対応付けられた第１アイコンを前記ディスプレーに表示する。前記判定部は、前記第１アイコンに対して特定の操作が行われたか否かを判定する。前記第２表示部は、前記第１アイコンに対して前記特定の操作が行われたと前記判定部が判定した場合に、前記第１ファイルに対応付けられた第２アイコンを前記ディスプレーに表示する。前記調整部は、前記第２アイコンの向きと前記第２アイコンのサイズとを調整する。
【発明の効果】
【０００７】
本発明の表示制御装置によれば、ユーザーの利便性を向上できる。
【図面の簡単な説明】
【０００８】
【図１】本発明の実施形態に係るタブレット端末装置の構成の一例を示す図である。
【図２】タッチパネルに表示される第１画面の一例を示す画面図である。
【図３】本発明の実施形態に係る制御部の構成の一例を示す図である。
【図４】タッチパネルに表示されるメニュー画面の一例を示す画面図である。
【図５】タッチパネルに表示される第２画面の一例を示す画面図である。
【図６】タッチパネルに表示される第３画面の一例を示す画面図である。
【図７】本発明の実施形態に係る制御部の構成の一例を示す図である。
【図８】第２アイコンと第２ファイルのファイル名との関係の一例を示す図である。
【図９】制御部の処理の一例を示すフローチャートである。
【図１０】制御部の処理の一例を示すフローチャートである。
【図１１】制御部の処理の一例を示すフローチャートである。
【図１２】制御部のアイコン処理を示すフローチャートである。
【図１３】紐付部の処理の一例を示す図である。
【発明を実施するための形態】
【０００９】
以下、本発明の実施形態について、図面（図１〜図１３）を参照しながら説明する。なお、図中、同一又は相当部分については同一の参照符号を付して説明を繰り返さない。
【００１０】
まず、図１を参照して本発明の実施形態に係るタブレット端末装置１００の構成について説明する。図１は、タブレット端末装置１００の構成を示す。図１に示すように、タブレット端末装置１００は、タッチパネル１と制御部２とを備える。タッチパネル１は画像を表示すると共に、ユーザーからの操作を受け付ける。制御部２はタッチパネル１の動作を制御する。タブレット端末装置１００は、「表示制御装置」の一例に相当する。
【００１１】
タッチパネル１は、ディスプレー１１及びタッチセンサー１２を備える。ディスプレー１１は、例えば、ＬＣＤ（Ｌｉｑｕｉｄ  Ｃｒｙｓｔａｌ  Ｄｉｓｐｌａｙ）を備え、種々の画像を表示する。タッチセンサー１２は、ユーザーからの操作を受け付ける。タッチセンサー１２は、例えばディスプレー１１の表示面上に配置される。タッチパネル１は、矩形状に形成される。
【００１２】
制御部２は、プロセッサー２１及び記憶部２２を備える。プロセッサー２１は、例えばＣＰＵ（Ｃｅｎｔｒａｌ  Ｐｒｏｃｅｓｓｉｎｇ  Ｕｎｉｔ）を備える。記憶部２２は、半導体メモリーのようなメモリーを備え、ＨＤＤ（Ｈａｒｄ  Ｄｉｓｋ  Ｄｒｉｖｅ）を備えてもよい。記憶部２２は、制御プログラムを記憶している。
【００１３】
次に、図１及び図２を参照して、タッチパネル１に表示される第１画面３００について説明する。図２は、タッチパネル１に表示される第１画面３００の一例を示す画面図である。図２に示すように、第１画面３００には、第１アイコンＪＣ１が表示されている。
【００１４】
第１アイコンＪＣ１は、第１ファイルＦ１に対応付けられている。第１アイコンＪＣ１は、ファイル名表示部ＦＮ１を含む。ファイル名表示部ＦＮ１には、第１ファイルＦ１のファイル名が表示される。例えば、第１ファイルＦ１のファイル名は、「Ｔｅｓｔ．ｔｘｔ」である。
【００１５】
本発明の実施形態では、タッチパネル１を４人のユーザーが操作する。具体的には、４人のユーザーは、オーナーＭＳ、第１ユーザーＭＡ、第２ユーザーＭＢ及び第３ユーザーＭＣである。４人のユーザーは、タッチパネル１の周囲に位置する。４人のユーザーの各々は、タッチパネル１の周辺のうちの一辺に向かって位置する。
【００１６】
オーナーＭＳは、第１アイコンＪＣ１を操作するユーザーを示す。第１ユーザーＭＡは、オーナーＭＳの左側に位置する。第２ユーザーＭＢは、オーナーＭＳの右側に位置する。第３ユーザーＭＣは、オーナーＭＳの向かい側に位置する。例えば、オーナーＭＳは、タブレット端末装置１００の所有者である。また、例えば、オーナーＭＳは、プロジェクトのリーダーでもよい。
【００１７】
次に、図１〜図３を参照して、本発明の実施形態に係る制御部２の構成について説明する。図３は、制御部２の構成の一例を示す図である。制御部２は、第１表示部２１１、判定部２１２、第２表示部２１３、検出部２１４、調整部２１５及び決定部２１６を備える。具体的には、制御部２のプロセッサー２１は、制御プログラムを実行することによって、第１表示部２１１、判定部２１２、第２表示部２１３、検出部２１４、調整部２１５及び決定部２１６として機能する。なお、制御部２の構成については、後述にて図７を参照して更に説明する。
【００１８】
第１表示部２１１は、第１アイコンＪＣ１をタッチパネル１に表示する。第１アイコンＪＣ１は、第１ファイルＦ１に対応付けられている。具体的には、第１表示部２１１は、図２を参照して説明した第１画面３００をタッチパネル１に表示する。
【００１９】
判定部２１２は、第１アイコンＪＣ１に対して長押し操作ＬＴが行われたか否かを判定する。具体的には、判定部２１２は、タッチセンサー１２を介して長押し操作ＬＴを検出し、第１アイコンＪＣ１に対して長押し操作ＬＴが行われたか否かを判定する。長押し操作ＬＴは、「特定の操作」の一部に相当する。長押し操作ＬＴは、所定時間以上の間、連続してタッチする操作を示す。所定時間は、例えば２秒間である。
【００２０】
第２表示部２１３は、第１アイコンＪＣ１に対して長押し操作ＬＴが行われたと判定部２１２が判定した場合に、第１ファイルＦ１に対応付けられた第２アイコンＪＣ２をタッチパネル１に表示する。第２表示部２１３については、後述にて図４及び図５を参照して詳細に説明する。
【００２１】
検出部２１４は、ユーザーの指紋の向きＤＲを検出する。具体的には、検出部２１４は、指紋の指先方向の向きＤＲを検出する。
【００２２】
調整部２１５は、第２アイコンＪＣ２の向きＤＪと第２アイコンＪＣ２のサイズＳＪとを調整する。調整部２１５は、検出部２１４の検出結果に基づいて、第２アイコンＪＣ２の向きＤＪを調整する。具体的には、調整部２１５は、第２アイコンＪＣ２の向きＤＪが指紋の指先方向の向きＤＲと一致するように、第２アイコンＪＣ２の向きＤＪを調整する。
【００２３】
調整部２１５は、ユーザーの操作に応じて、第２アイコンＪＣ２のサイズＳＪを調整する。例えば、第２アイコンＪＣ２に対してピンチイン操作が行われた場合には、調整部２１５は、第２アイコンＪＣ２のサイズＳＪを縮小する。第２アイコンＪＣ２に対してピンチアウト操作が行われた場合には、調整部２１５は、第２アイコンＪＣ２のサイズＳＪを拡大する。調整部２１５については、後述にて図４〜図６を参照して詳細に説明する。
【００２４】
決定部２１６は、第２アイコンＪＣ２を用いて第１ファイルＦ１を起動する場合の起動制限を決定する。起動制限は、タッチパネル１のサイズＳＺに応じて、起動可能なファイルの個数の最大値ＮＦを示す。
【００２５】
以上、図１〜図３を参照して説明したように、本発明の実施形態では、調整部２１５は第２アイコンＪＣ２の向きＤＪと第２アイコンＪＣ２のサイズＳＪとを調整する。よって、第２アイコンＪＣ２をユーザーの所望する向きＤＪ及びサイズＳＪに調整することが可能になる。したがって、ユーザーの利便性を更に向上できる。
【００２６】
また、検出部２１４はユーザーの指紋の向きＤＲを検出し、検出結果に基づいて、調整部２１５は第２アイコンＪＣ２の向きＤＪを調整する。よって、第２アイコンＪＣ２の向きＤＪを容易に調整できる。したがって、ユーザーの利便性を向上できる。
【００２７】
また、タッチパネル１のサイズＳＺに応じて、起動可能なファイルの個数の最大値ＮＦを決定する。よって、ウィンドウを表示するスペースが不足して、ファイルの編集が困難になることを抑制できる。したがって、ユーザーの利便性を更に向上できる。
【００２８】
なお、本発明の実施形態では、調整部２１５による第２アイコンＪＣ２の向きＤＪの調整は、検出部２１４の検出結果に基づくが、本発明はこれに限定されない。調整部２１５が第２アイコンＪＣ２の向きＤＪを調整すればよい。例えば、調整部２１５による第２アイコンＪＣ２の向きＤＪの調整が、タッチパネル１に対するユーザーの操作に応じてもよい。
【００２９】
また、本発明の実施形態では、検出部２１４が、ユーザーの指紋の向きＤＲを検出するが、検出部２１４が、ユーザーの向きを検出すればよい。例えば、検出部２１４が、ユーザーの視線の向きを検出してもよい。
【００３０】
次に、図３及び図４を参照して、制御部２の処理について更に説明する。図４は、タッチパネル１に表示されるメニュー画面３１０の一例を示す画面図である。図４に示すように、メニュー画面３１０には、第１アイコンＪＣ１と、メニュー表示部ＭＮとが表示されている。メニュー画面３１０は、第１アイコンＪＣ１に対して長押し操作ＬＴが行われたと判定部２１２が判定した場合に、制御部２によってタッチパネル１に表示される。
【００３１】
メニュー表示部ＭＮは、複製ボタンＢＴ１と、向き調整ボタンＢＴ２と、サイズ調整ボタンＢＴ３と、編集可否決定ボタンＢＴ４とを含む。
【００３２】
複製ボタンＢＴ１は、第２アイコンＪＣ２をタッチパネル１に表示する場合に、ユーザーによってタッチ操作される。複製ボタンＢＴ１がユーザーによってタッチ操作された場合には、第２表示部２１３は、第２画面３２０をタッチパネル１に表示する。複製ボタンＢＴ１のユーザーによるタッチ操作は、「特定の操作」の一部に相当する。すなわち、本実施形態では、「特定の操作」は、第１アイコンＪＣ１に対する長押し操作ＬＴと、複製ボタンＢＴ１に対するタッチ操作とで構成される。第２画面３２０は、第２アイコンＪＣ２を含む。第２画面３２０については、後述にて図５を参照して説明する。
【００３３】
向き調整ボタンＢＴ２は、第２アイコンＪＣ２の向きＤＪを調整する場合に、ユーザーによってタッチされる。向き調整ボタンＢＴ２がユーザーによってタッチされた場合には、検出部２１４は、指紋の指先方向の向きＤＲを検出する。そして、調整部２１５は、第２アイコンＪＣ２の向きＤＪが指紋の指先方向の向きＤＲと一致するように、第２アイコンＪＣ２の向きＤＪを調整する。
【００３４】
サイズ調整ボタンＢＴ３は、第２アイコンＪＣ２のサイズＳＪを調整する場合に、ユーザーによってタッチ操作される。サイズ調整ボタンＢＴ３がユーザーによってタッチ操作された場合には、調整部２１５は、第２アイコンＪＣ２に対するユーザーの操作を受け付ける。例えば、第２アイコンＪＣ２に対するピンチイン操作を調整部２１５が受け付けた場合には、調整部２１５は、第２アイコンＪＣ２のサイズＳＪを縮小する。第２アイコンＪＣ２に対するピンチアウト操作を制御部２が受け付けた場合には、調整部２１５は、第２アイコンＪＣ２のサイズＳＪを拡大する。
【００３５】
編集可否決定ボタンＢＴ４は、第２アイコンＪＣ２を用いて第１ファイルＦ１を編集可能に起動するか、第２アイコンＪＣ２を用いて第１ファイルＦ１を編集不可能に起動するかを決定する場合に、ユーザーによってタッチ操作される。編集可否決定ボタンＢＴ４がユーザーによってタッチ操作された場合には、決定部２１６は、ユーザーの操作を受け付ける。例えば、決定部２１６は、「編集可能」を示す可能ボタンと、「編集不可」を示す不可ボタンとをタッチパネル１に表示する。そして、可能ボタンがユーザーによってタッチ操作された場合には、決定部２１６は、第２アイコンＪＣ２を用いて第１ファイルＦ１を編集可能に起動することを決定する。また、不可ボタンがユーザーによってタッチ操作された場合には、決定部２１６は、第２アイコンＪＣ２を用いて第１ファイルＦ１を編集不可能に起動することを決定する。
【００３６】
以上、図３及び図４を参照して説明したように、第２アイコンＪＣ２を用いて第１ファイルＦ１を起動する場合の編集可否を決定する。よって、第１ファイルＦ１に対する編集を制限できる。したがって、ユーザーの利便性を更に向上できる。
【００３７】
次に、図３〜図５を参照して、制御部２の処理について更に説明する。図５は、タッチパネル１に表示される第２画面３２０の一例を示す画面図である。第２画面３２０は、図４に示す複製ボタンＢＴ１がユーザーによってタッチ操作された場合に、第２表示部２１３によってタッチパネル１に表示される。
【００３８】
図５に示すように、第２画面３２０には、第１アイコンＪＣ１と第２アイコンＪＣ２とが表示される。第２アイコンＪＣ２は、第１アイコンＪＣ１と同じ向きに表示され、且つ、第１アイコンＪＣ１と同じサイズＳＪで表示されている。すなわち、図４に示す向き調整ボタンＢＴ２及びサイズ調整ボタンＢＴ３がタッチ操作される前に、第２画面３２０は、第２表示部２１３によってタッチパネル１に表示される。
【００３９】
次に、図３〜図６を参照して、制御部２の処理について更に説明する。図６は、タッチパネル１に表示される第３画面３３０の一例を示す画面図である。第３画面３３０は、第２表示部２１３によってタッチパネル１に表示される。
【００４０】
図６に示すように、第３画面３３０には、第１アイコンＪＣ１と、第２アイコンＪＣ２Ａと、第２アイコンＪＣ２Ｂと、第２アイコンＪＣ２Ｃとが表示される。第２アイコンＪＣ２Ａ、第２アイコンＪＣ２Ｂ及び第２アイコンＪＣ２Ｃの各々は、第２アイコンＪＣ２の一例に相当する。
【００４１】
第２アイコンＪＣ２Ａは、図５に示す第２アイコンＪＣ２が、調整部２１５によって時計回りに９０度回転され、調整部２１５によって１５０％に拡大されて、調整部２１５によって第１ユーザーＭＡ用のアイコンとして配置される。具体的には、第２アイコンＪＣ２Ａは、調整部２１５によって短辺１Ａに沿って配置される。短辺１Ａは、タッチパネル１の周辺のうちの第１ユーザーＭＡの近い側の短辺を示す。
【００４２】
第２アイコンＪＣ２Ｂは、図５に示す第２アイコンＪＣ２が、調整部２１５によって時計回りに２７０度回転されて、調整部２１５によって第２ユーザーＭＢ用のアイコンとして配置される。具体的には、第２アイコンＪＣ２Ｂは、調整部２１５によって短辺１Ｂに沿って配置される。短辺１Ｂは、タッチパネル１の周辺のうちの第２ユーザーＭＢに近い側の短辺を示す。
【００４３】
第２アイコンＪＣ２Ｃは、図５に示す第２アイコンＪＣ２が、調整部２１５によって時計回りに１８０度回転されて、調整部２１５によって６０％に縮小されて、調整部２１５によって第３ユーザーＭＣ用のアイコンとして配置される。具体的には、第２アイコンＪＣ２Ｃは、調整部２１５によって長辺１Ｃに沿って配置される。長辺１Ｃは、タッチパネル１の周辺のうちの第３ユーザーＭＣに近い側の長辺を示す。
【００４４】
調整部２１５によって第２アイコンＪＣ２の向きＤＪが調整された場合に、調整部２１５は、第２アイコンＪＣ２の向きＤＪに応じて、第２アイコンＪＣ２をタッチパネル１に表示する位置を決定する。例えば、第２アイコンＪＣ２の向きＤＪが時計回りに９０度回転された場合には、調整部２１５は、第２アイコンＪＣ２を短辺１Ａに沿って表示する。例えば、第２アイコンＪＣ２の向きＤＪが時計回りに１８０度回転された場合には、調整部２１５は、第２アイコンＪＣ２を長辺１Ｃに沿って表示する。例えば、第２アイコンＪＣ２の向きＤＪが時計回りに２７０度回転された場合には、制御部２は、第２アイコンＪＣ２を短辺１Ｂに沿って表示する。
【００４５】
以上、図３〜図６を参照して説明したように、本発明の実施形態では、第２アイコンＪＣ２の向きＤＪが調整された場合に、第２アイコンＪＣ２の向きＤＪに応じて、第２アイコンＪＣ２を表示する位置が決定される。よって、ユーザーは第２アイコンＪＣ２を表示する位置を決定する必要がない。したがって、ユーザーの利便性を更に向上できる。
【００４６】
なお、本実施形態では、調整部２１５は、第２アイコンＪＣ２の向きＤＪに応じて、第２アイコンＪＣ２を表示する位置を決定するが、本発明はこれに限定されない。調整部２１５は、第２アイコンＪＣ２を表示する位置を決定すればよい。例えば、調整部２１５は、タッチパネル１に対するユーザーの操作に応じて、第２アイコンＪＣ２を表示する位置を決定してもよい。タッチパネル１に対するユーザーの操作は、例えば、第２アイコンＪＣ２に対するドラッグ＆ドロップ操作である。
【００４７】
また、本実施形態では、第２アイコンＪＣ２は、第１アイコンＪＣ１と同じ画像を有するが、本発明はこれに限定されない。第２アイコンＪＣ２が、第２アイコンＪＣ２を使用するユーザーを示す画像を含んでもよい。例えば、図６に示す第２アイコンＪＣ２Ａが第１ユーザーＭＡを示す画像を含み、第２アイコンＪＣ２Ｂが第２ユーザーＭＢを示す画像を含み、第２アイコンＪＣ２Ｃが第３ユーザーＭＣを示す画像を含む。第１ユーザーＭＡを示す画像としては、例えば、第１ユーザーＭＡの氏名を示す画像でもよいし、第１ユーザーＭＡの特徴を示すマークでもよい。
【００４８】
この場合には、第２アイコンＪＣ２は、第２アイコンＪＣ２を使用するユーザーを示す画像を含む。よって、ユーザーは、自分が使用する第２アイコンＪＣ２を容易に認識できる。したがって、ユーザーの利便性を更に向上できる。
【００４９】
次に、図３〜図７を参照して、本発明の実施形態に係る制御部２の構成について更に説明する。図７は、制御部２の構成の一例を示す図である。図７に示すように、制御部２は、起動部２１７、編集部２１８、抽出部２１９、反映部２２０及び紐付部２２１を更に備える。具体的には、制御部２のプロセッサー２１は、制御プログラムを実行することによって、起動部２１７、編集部２１８、抽出部２１９、反映部２２０及び紐付部２２１として更に機能する。
【００５０】
起動部２１７は、ユーザーの操作に応じて、第２アイコンＪＣ２を用いて第１ファイルＦ１を起動する。具体的には、ユーザーが第２アイコンＪＣ２に対してタッチ操作を行った場合に、起動部２１７は、第１ファイルＦ１を起動して、ウィンドウをタッチパネル１に表示し、ウィンドウに第１ファイルＦ１の内容を表示する。
【００５１】
編集部２１８は、第２アイコンＪＣ２を用いて第１ファイルＦ１を起動して編集を行った場合に、編集後の第１ファイルＦ１に特定ファイル名ＦＮ２を付与して記憶部２２に記憶する。特定ファイル名ＦＮ２は、第１ファイルＦ１のファイル名と相違し、且つ、第１ファイルＦ１に関連するファイルであることを示す。例えば、第１ファイルＦ１のファイル名が、「Ｔｅｓｔ．ｔｘｔ」である場合には、特定ファイル名ＦＮ２は、「Ｔｅｓｔ＿００１．ｔｘｔ」及び「Ｔｅｓｔ＿００２．ｔｘｔ」のようなファイル名である。
【００５２】
抽出部２１９は、第２ファイルＦ２において、第１ファイルＦ１の内容と相違する箇所を抽出する。第２ファイルＦ２は、第２アイコンＪＣ２に対応付けられるファイルであって、且つ特定ファイル名ＦＮ２が付されたファイルを示す。
【００５３】
反映部２２０は、抽出部２１９が抽出した第１ファイルＦ１の内容と相違する箇所を、第１ファイルＦ１の内容に反映する。
【００５４】
紐付部２２１は、複数の入力装置の各々を第２アイコンＪＣ２の向きＤＪに対応付ける。タッチパネル１は、複数の入力装置と通信可能に接続される。紐付部２２１については、後述にて図１３を参照して詳細に説明する。入力装置は、本実施形態では、スマートフォンＳＰである。
【００５５】
次に、図３〜図８を参照して、制御部２の処理について更に説明する。図８は、第２アイコンＪＣ２と、第２アイコンＪＣ２に対応付けられるファイル名との関係の一例を示す図である。図７には、３つの表が記載されている。上側の表ＴＢＬ１は、図６を参照して説明したように、３つの第２アイコンＪＣ２（＝第２アイコンＪＣ２Ａ、第２アイコンＪＣ２Ｂ及び第２アイコンＪＣ２Ｃ）が配置された時の状態を示す。中央の表ＴＢＬ２は、第１ファイルＦ１の編集が終了した時の状態を示す。下側の表ＴＢＬ３は、「まとめ処理」が終了した時の状態を示す。「まとめ処理」とは、編集結果を第１ファイルＦ１に反映する処理を示す。「まとめ処理」については、後述にて図１１を参照して詳細に説明する。
【００５６】
図８に示すように、表ＴＢＬ１〜表ＴＢＬ３には、それぞれ、３つの第２アイコンＪＣ２（＝第２アイコンＪＣ２Ａ、第２アイコンＪＣ２Ｂ及び第２アイコンＪＣ２Ｃ）の各々の参照符号、向きＤＪ、第２アイコンＪＣ２に対応付けられるファイル名、及び編集可否が記載されている。
【００５７】
表ＴＢＬ１に示すように、３つの第２アイコンＪＣ２が配置された時には、第２アイコンＪＣ２Ａの向きＤＪは９０度であり、第２アイコンＪＣ２Ａに対応付けられるファイル名は「Ｔｅｓｔ．ｔｘｔ」であり、編集は可能である。第２アイコンＪＣ２Ｂの向きＤＪは１８０度であり、第２アイコンＪＣ２Ｂに対応付けられるファイル名は「Ｔｅｓｔ．ｔｘｔ」であり、編集は可能である。第２アイコンＪＣ２Ｃの向きＤＪは２７０度であり、第２アイコンＪＣ２Ｃに対応付けられるファイル名は「Ｔｅｓｔ．ｔｘｔ」であり、編集は不可である。すなわち、第２アイコンＪＣ２Ａ、第２アイコンＪＣ２Ｂ及び第２アイコンＪＣ２Ｃには、第１ファイルＦ１が対応付けられる。
【００５８】
表ＴＢＬ２に示すように、第１ファイルＦ１の編集が終了した時には、編集部２１８によって、第２アイコンＪＣ２Ａに対応付けられるファイル名は「Ｔｅｓｔ．ｔｘｔ」から「Ｔｅｓｔ＿００１．ｔｘｔ」に変更される。すなわち、第２アイコンＪＣ２Ａに対応付けられているファイルは、編集部２１８によって、ファイル名が「Ｔｅｓｔ．ｔｘｔ」の第１ファイルＦ１からファイル名が「Ｔｅｓｔ＿００１．ｔｘｔ」の第２ファイルＦ２に変更される。
編集部２１８によって、第２アイコンＪＣ２Ｂに対応付けられるファイル名は「Ｔｅｓｔ．ｔｘｔ」から「Ｔｅｓｔ＿００２．ｔｘｔ」に変更される。すなわち、第２アイコンＪＣ２Ａに対応付けられているファイルは、編集部２１８によって、ファイル名が「Ｔｅｓｔ．ｔｘｔ」の第１ファイルＦ１からファイル名が「Ｔｅｓｔ＿００２．ｔｘｔ」の第２ファイルＦ２に変更される。
第２アイコンＪＣ２Ｃの第２ファイルＦ２は編集不可であるため、第２アイコンＪＣ２Ｃに対応付けられるファイル名は変更されない。
【００５９】
表ＴＢＬ３に示すように、「まとめ処理」が終了した時には、制御部２によって、第２アイコンＪＣ２Ａに対応付けられるファイル名は「Ｔｅｓｔ＿００１．ｔｘｔ」から「Ｔｅｓｔ．ｔｘｔ」に変更される。すなわち、第２アイコンＪＣ２Ａに対応付けられているファイルは、制御部２によって、ファイル名が「Ｔｅｓｔ＿００１．ｔｘｔ」の第２ファイルＦ２からファイル名が「Ｔｅｓｔ．ｔｘｔ」の第１ファイルＦ１に変更される。
制御部２によって、第２アイコンＪＣ２Ｂに対応付けられるファイル名は「Ｔｅｓｔ＿００２．ｔｘｔ」から「Ｔｅｓｔ．ｔｘｔ」に変更される。すなわち、第２アイコンＪＣ２Ｂに対応付けられているファイルは、制御部２によって、ファイル名が「Ｔｅｓｔ＿００２．ｔｘｔ」の第２ファイルＦ２からファイル名が「Ｔｅｓｔ．ｔｘｔ」の第１ファイルＦ１に変更される。
第２アイコンＪＣ２Ｃに対応付けられるファイル名は変更されない。
【００６０】
以上、図３〜図８を参照して説明したように、本発明の実施形態では、第２アイコンＪＣ２を用いて第１ファイルＦ１を起動して編集を行った場合に、編集後の第１ファイルＦ１に特定ファイル名ＦＮ２を付与して記憶する。特定ファイル名ＦＮ２は、第１ファイルＦ１のファイル名と相違し、且つ、第１ファイルＦ１に関連するファイルであることを示す。特定ファイル名ＦＮ２は、第２ファイルＦ２のファイル名である。よって、ユーザーは、特定ファイル名ＦＮ２に基づいて、編集後の第１ファイルＦ１を確認できる。したがって、ユーザーの利便性を更に向上できる。
【００６１】
次に、図３〜図１１を参照して、制御部２の処理について説明する。図９〜図１１は、制御部２の動作を示すフローチャートである。
まず、図９に示すように、ステップＳ１０１において、第１表示部２１１は、第１アイコンＪＣ１をタッチパネル１に表示する。
次に、ステップＳ１０３において、判定部２１２は、第１アイコンＪＣ１に対して長押し操作ＬＴが行われたか否かを判定する。
長押し操作ＬＴが行われていないと判定部２１２が判定した場合（ステップＳ１０３でＮＯ）には、処理が待機状態になる。長押し操作ＬＴが行われたと判定部２１２が判定した場合（ステップＳ１０３でＹＥＳ）には、処理がステップＳ１０５に進む。
そして、ステップＳ１０５において、制御部２は、図４に示すメニュー表示部ＭＮをタッチパネル１に表示する。
次に、ステップＳ１０７において、制御部２は、「アイコン処理」を実行する。「アイコン処理」は、第２アイコンＪＣ２の向きＪＤ、第２アイコンＪＣ２のサイズＳＪ及び第２アイコンＪＣ２に対応付けられたファイル（第１ファイルＦ１）の編集可否を決定する処理を示す。「アイコン処理」については、後述にて、図１２を参照して詳細に説明する。
【００６２】
次に、ステップＳ１０９において、制御部２は、タッチパネル１のサイズＳＺが所定サイズＳＺＡ以上であるか否かを判定する。所定サイズＳＺＡは、例えば、１７インチを示す。
タッチパネル１のサイズＳＺが所定サイズＳＺＡ以上ではないと制御部２が判定した場合（ステップＳ１０９でＮＯ）には、処理が図１０に示すステップＳ１１１に進む。タッチパネル１のサイズＳＺが所定サイズＳＺＡ以上であると制御部２が判定した場合（ステップＳ１０９でＹＥＳ）には、処理がステップＳ１１２１に進む。
そして、ステップＳ１２１において、起動部２１７は、第２アイコンＪＣ２を用いて第１ファイルＦ１を起動する旨のユーザーの操作を受け付けたか否かを判定する。
第１ファイルＦ１を起動する旨のユーザーの操作を受け付けていないと起動部２１７が判定した場合（ステップＳ１２１でＮＯ）には、処理が待機状態になる。第１ファイルＦ１を起動する旨のユーザーの操作を受け付けたと起動部２１７が判定した場合（ステップＳ１２１でＹＥＳ）には、処理がステップＳ１２３に進む。
そして、ステップＳ１２３において、起動部２１７は、第２アイコンＪＣ２を用いて起動する第１ファイルＦ１が編集可能であるか否かを判定する。
第１ファイルＦ１が編集可能ではないと起動部２１７が判定した場合（ステップＳ１２３でＮＯ）には、処理がステップＳ１２５に進む。
そして、ステップＳ１２５において、起動部２１７は、第２アイコンＪＣ２を用いて第１ファイルＦ１を読取専用で起動し、ウィンドウをタッチパネル１に表示し、ウィンドウに第１ファイルＦ１の内容を表示した後、処理が終了する。
第１ファイルＦ１が編集可能であると起動部２１７が判定した場合（ステップＳ１２３でＹＥＳ）には、処理がステップＳ１２７に進む。
そして、ステップＳ１２７において、起動部２１７は、第２アイコンＪＣ２を用いて第１ファイルＦ１を編集可能に起動し、ウィンドウをタッチパネル１に表示した後、処理が図１１に示すステップＳ１２９に進む。
【００６３】
ステップＳ１０９でＮＯの場合には、図１０に示すように、ステップＳ１１１において、決定部２１６は、タッチパネル１のサイズＳＺに応じて、起動可能なファイルの個数の最大値ＮＦを決定する。
次に、ステップＳ１１３において、決定部２１６は、複数の第２アイコンＪＣ２の各々を用いて起動する場合における起動の優先順位ＰＲを決定する。
次に、ステップＳ１１５において、起動部２１７は、複数の第２アイコンＪＣ２の各々を用いて起動する旨のユーザーの操作を受け付けたか否かを判定する。
複数の第２アイコンＪＣ２の各々を用いて起動する旨のユーザーの操作を受け付けていないと起動部２１７が判定した場合（ステップＳ１１５でＮＯ）には、処理が、図９に示すステップＳ１２３に進む。複数の第２アイコンＪＣ２の各々を用いて起動する旨のユーザーの操作を受け付けたと起動部２１７が判定した場合（ステップＳ１１５でＹＥＳ）には、処理がステップＳ１１７に進む。
そして、ステップＳ１１７において、起動部２１７は、ユーザーの操作を受け付けた第２アイコンＪＣ２の個数が最大値ＮＦ以下であるか否かを判定する。
ユーザーの操作を受け付けた第２アイコンＪＣ２の個数が最大値ＮＦ以下であると起動部２１７が判定した場合（ステップＳ１１７でＹＥＳ）には、処理が図９に示すステップＳ１２３に進む。ユーザーの操作を受け付けた第２アイコンＪＣ２の個数が最大値ＮＦ以下ではないと起動部２１７が判定した場合（ステップＳ１１７でＮＯ）には、処理がステップＳ１１９に進む。
そして、ステップＳ１１９において、起動部２１７は、優先順位ＰＲに基づいて、複数の第２アイコンＪＣ２の各々を用いた第１ファイルＦ１の起動可否を決定し、処理が図９に示すステップＳ１２３に進む。
【００６４】
図９のステップＳ１２７の処理が終了した場合には、図１１に示すように、ステップＳ１２９において、編集部２１８は、第１ファイルＦ１が編集済であるか否かを判定する。
第１ファイルＦ１が編集済ではないと編集部２１８が判定した場合（ステップＳ１２９でＮＯ）には、処理が終了する。第１ファイルＦ１が編集済であると編集部２１８が判定した場合（ステップＳ１２９でＹＥＳ）には、処理がステップＳ１３１に進む。
そして、ステップＳ１３１において、編集部２１８は、編集後の第１ファイルＦ１に特定ファイル名ＦＮ２を付与して記憶部２２に記憶する。
次に、ステップＳ１３３において、起動部２１７は、第１アイコンＪＣ１を用いて第１ファイルＦ１を起動する旨のユーザーの操作を受け付けたか否かを判定する。
第１ファイルＦ１を起動する旨のユーザーの操作を受け付けていないと起動部２１７が判定した場合（ステップＳ１３３でＮＯ）には、処理が待機状態になる。第１ファイルＦ１を起動する旨のユーザーの操作を受け付けたと起動部２１７が判定した場合（ステップＳ１３３でＹＥＳ）には、処理がステップＳ１３５に進む。
【００６５】
そして、ステップＳ１３５において、起動部２１７は、第１ファイルＦ１と第２ファイルＦ２とを起動する。
具体的には、起動部２１７は、第１ファイルＦ１を起動して、ウィンドウをタッチパネル１に表示し、ウィンドウに第１ファイルＦ１の内容を表示する。また、起動部２１７は、第２ファイルＦ２を起動して、ウィンドウをタッチパネル１に表示し、ウィンドウに第２ファイルＦ２の内容を表示する。
次に、ステップＳ１３７において、抽出部２１９は、第２ファイルＦ２の編集箇所を抽出する。「編集箇所」は、第２ファイルＦ２の内容が第１ファイルＦ１の内容と相違する箇所を示す。
次に、ステップＳ１３９において、反映部２２０は、編集箇所を、第１ファイルＦ１の内容に反映し、処理が終了する。
【００６６】
なお、ステップＳ１３３からステップＳ１３９までの処理が、図７を参照して説明した「まとめ処理」の一例に相当する。
【００６７】
以上、図３〜図１１を参照して説明したように、本発明の実施形態では、第１アイコンＪＣ１を用いて第１ファイルＦ１を起動する旨の操作に応じて、特定ファイル名ＦＮ２が付されたファイル（第２ファイルＦ２）を起動する。よって、第１ファイルＦ１が編集されたファイルを起動できる。したがって、ユーザーは第１ファイルＦ１の編集箇所を容易に確認できる。その結果、ユーザーの利便性を更に向上できる。
【００６８】
また、特定ファイル名ＦＮ２が付されたファイルにおいて、第１ファイルＦ１の内容と相違する箇所（編集箇所）を抽出し、相違する箇所を、第１ファイルＦ１の内容に反映する。よって、複数人で効率的に編集を行うことができる。したがって、ユーザーの利便性を更に向上できる。
【００６９】
次に、図３〜図１２を参照して、制御部２の処理を更に説明する。図１２は、制御部２の「アイコン処理」を示すフローチャートである。
図１２に示すように、まず、ステップＳ２０１において、第２表示部２１３は、ユーザーから第１アイコンＪＣ１を複製して第２アイコンＪＣ２を生成する旨の操作を受け付けたか否かを判定する。具体的には、第２表示部２１３は、図４に示すメニュー画面３１０の複製ボタンＢＴ１がタッチされたか否かを判定する。
第２アイコンＪＣ２を生成する旨の操作を受け付けていないと第２表示部２１３が判定した場合（ステップＳ２０１でＮＯ）には、処理がステップＳ２０５に進む。第２アイコンＪＣ２を生成する旨の操作を受け付けたと第２表示部２１３が判定した場合（ステップＳ２０１でＹＥＳ）には、処理がステップＳ２０３に進む。
そして、ステップＳ２０３において、第２表示部２１３は、第１ファイルＦ１に対応付けられた第２アイコンＪＣ２をタッチパネル１に表示する。
【００７０】
次に、ステップＳ２０５において、調整部２１５は、第２アイコンＪＣ２の向きＤＪを調整するか否かを判定する。具体的には、調整部２１５は、図４に示すメニュー画面３１０の向き調整ボタンＢＴ２がタッチされたか否かを判定する。
第２アイコンＪＣ２の向きＤＪを調整しないと調整部２１５が判定した場合（ステップＳ２０５でＮＯ）には、処理がステップＳ２１１に進む。第２アイコンＪＣ２の向きＤＪを調整すると調整部２１５が判定した場合（ステップＳ２０５でＹＥＳ）には、処理がステップＳ２０７に進む。
そして、ステップＳ２０７において、検出部２１４は、ユーザーの指紋の向きＤＲを検出する。
次に、ステップＳ２０９において、調整部２１５は、検出部２１４の検出結果に基づいて、第２アイコンＪＣ２の向きＤＪが指紋の向きＤＲと一致するように、第２アイコンＪＣ２の向きＤＪを調整する。また、調整部２１５は、第２アイコンＪＣ２の向きＤＪに応じて、第２アイコンＪＣ２を表示する位置を決定する。
【００７１】
そして、ステップＳ２１１において、調整部２１５は、第２アイコンＪＣ２のサイズＳＪを調整するか否かを判定する。具体的には、調整部２１５は、図４に示すメニュー画面３１０のサイズ調整ボタンＢＴ３がタッチされたか否かを判定する。
第２アイコンＪＣ２のサイズＳＪを調整しないと調整部２１５が判定した場合（ステップＳ２１１でＮＯ）には、処理がステップＳ２１５に進む。第２アイコンＪＣ２のサイズＳＪを調整すると調整部２１５が判定した場合（ステップＳ２１１でＹＥＳ）には、処理がステップＳ２１３に進む。
そして、ステップＳ２１３において、調整部２１５は、ユーザーの操作に応じて、第２アイコンＪＣ２のサイズＳＪを調整する。
次に、ステップＳ２１５において、決定部２１６は、第２アイコンＪＣ２を用いて第１ファイルＦ１を起動する場合の編集可否を決定するか否かを判定する。具体的には、決定部２１６は、図４に示すメニュー画面３１０の編集可否決定ボタンＢＴ４がタッチされたか否かを判定する。
第２アイコンＪＣ２を用いて第１ファイルＦ１を起動する場合の編集可否を決定しないと決定部２１６が判定した場合（ステップＳ２１５でＮＯ）には、処理が図９のステップＳ１２１にリターンする。第２アイコンＪＣ２を用いて第１ファイルＦ１を起動する場合の編集可否を決定すると決定部２１６が判定した場合（ステップＳ２１５でＹＥＳ）には、処理がステップＳ２１７に進む。
そして、ステップＳ２１７において、決定部２１６は、ユーザーの操作に応じて、第２アイコンＪＣ２を用いて第１ファイルＦ１を起動する場合の編集可否を決定し、処理が図９のステップＳ１２１にリターンする。
【００７２】
以上、図３〜図１２を参照して、図４に示すメニュー画面３１０に対するユーザーの操作に応じて、第２アイコンＪＣ２の向きＤＪ及びサイズＳＪが調整される。また、図４に示すメニュー画面３１０に対するユーザーの操作に応じて、第２アイコンＪＣ２を表示する位置、及び第２アイコンＪＣ２を用いて第１ファイルＦ１を起動する場合の編集可否が決定される。よって、ユーザーは容易に第２アイコンＪＣ２の向きＤＪ及びサイズＳＪを調整でき、第２アイコンＪＣ２を表示する位置、及び第２アイコンＪＣ２を用いて第１ファイルＦ１を起動する場合の編集可否を決定できる。したがって、ユーザーの利便性を更に向上できる。
【００７３】
次に、図７〜図１３を参照して、制御部２の処理について更に説明する。図１３は、図７に示す紐付部２２１の処理の一例を示す図である。図１３に示すように、オーナーＭＳの近傍には、スマートフォンＳＰＳが配置されている。第１ユーザーＭＡの近傍には、スマートフォンＳＰＡが配置されている。第２ユーザーＭＢの近傍には、スマートフォンＳＰＢが配置されている。第３ユーザーＭＣの近傍には、スマートフォンＳＰＣが配置されている。以下の説明において、スマートフォンＳＰＳ、スマートフォンＳＰＡ、スマートフォンＳＰＢ及びスマートフォンＳＰＣの各々を、スマートフォンＳＰと総称する場合がある。
【００７４】
スマートフォンＳＰＳ、スマートフォンＳＰＡ、スマートフォンＳＰＢ及びスマートフォンＳＰＣの各々は、制御部２と通信可能に接続される。具体的には、スマートフォンＳＰＳ、スマートフォンＳＰＡ、スマートフォンＳＰＢ及びスマートフォンＳＰＣの各々は、制御部２と、例えば、ＩＥＥＥ８０２．１５で規定される近距離無線通信（具体的には、Ｂｌｕｅｔｏｏｔｈ（登録商標））を介して、通信可能に接続される。スマートフォンＳＰＳ、スマートフォンＳＰＡ、スマートフォンＳＰＢ及びスマートフォンＳＰＣは、「複数の入力装置」の一例に相当する。
【００７５】
紐付部２２１は、スマートフォンＳＰＡ、スマートフォンＳＰＢ及びスマートフォンＳＰＣの各々を、第２アイコンＪＣ２の向きＤＪに対応付ける。具体的には、紐付部２２１は、スマートフォンＳＰＡを向きＤＪが９０度である第２アイコンＪＣ２Ａに対応付ける。更に具体的には、スマートフォンＳＰＡから第２アイコンＪＣ２Ａと同じ向きＤＪのアイコン及びウィンドウを操作可能にする。
【００７６】
また、紐付部２２１は、スマートフォンＳＰＢを向きＤＪが２７０度である第２アイコンＪＣ２Ｂに対応付ける。具体的には、スマートフォンＳＰＢから第２アイコンＪＣ２Ｂと同じ向きＤＪのアイコン及びウィンドウを操作可能にする。また、紐付部２２１は、スマートフォンＳＰＣを向きＤＪが１８０度である第２アイコンＪＣ２Ｃに対応付ける。具体的には、スマートフォンＳＰＣから第２アイコンＪＣ２Ｃと同じ向きＤＪのアイコン及びウィンドウを操作可能にする。
【００７７】
更に、紐付部２２１は、スマートフォンＳＰＳを第１アイコンＪＣ１に対応付ける。具体的には、スマートフォンＳＰＳから第１アイコンＪＣ１と同じ向きＤＪのアイコン及びウィンドウを操作可能にする。
【００７８】
以上、図７〜図１３を参照して説明したように、３台のスマートフォンＳＰ（スマートフォンＳＰＡ、スマートフォンＳＰＢ及びスマートフォンＳＰＣ）の各々を第２アイコンＪＣ２の向きＤＪに対応付ける。よって、３人のユーザー（第１ユーザーＭＡ、第２ユーザーＭＢ及び第３ユーザーＭＣ）の各々が第２アイコンＪＣ２の向きＤＪに応じたスマートフォンＳＰを操作することによって、３人のユーザーが１つのタッチパネル１に対して別々の操作を行うことができる。したがって、３人で効率的に編集を行うことができる。その結果、ユーザーの利便性を更に向上できる。
【００７９】
更に、オーナーＭＳは、スマートフォンＳＰＳを操作することによって、タッチパネル１に対して操作を行うことができる。よって、更に効率的に編集を行うことができる。したがって、ユーザーの利便性を更に向上できる。
【００８０】
なお、本発明の実施形態では、入力装置がスマートフォンＳＰであるが、本発明はこれに限定されない。入力装置は、ユーザーからの操作を受け付ければよい。入力装置がキーボードでもよいし、入力装置がマウスでもよい。
【００８１】
また、本発明の実施形態では、タブレット端末装置１００が１つのディスプレー１１を有する場合について説明するが、本発明はこれに限定されない。タブレット端末装置１００が複数の（例えば２つの）ディスプレーを有してもよい。すなわち、制御部２がマルチディスプレー（又はマルチ画面）を制御してもよい。４人のユーザーが２つのディスプレーを使用する場合には、例えば、オーナーＭＳと第１ユーザーＭＡとが、１つのディスプレーを使用し、第２ユーザーＭＢと第３ユーザーＭＣとが、他の１つのディスプレーを使用すればよい。マルチ画面を制御部２が制御する場合には、１つのディスプレーのサイズが小さい場合（例えば、１４インチ）であっても、複数人のユーザーで使用することができる。
【００８２】
タブレット端末装置１００のディスプレー１１が複数のディスプレーで構成されている場合には、紐付部２２１は、複数のディスプレーの各々を第２アイコンＪＣ２の向きＤＪに対応付ける。例えば、ディスプレー１１が２つのディスプレーで構成されている場合について説明する。
【００８３】
具体的には、紐付部２２１は、２つのディスプレーのうちの一方のディスプレーを、第１アイコンＪＣ１に対応付ける。更に具体的には、第１アイコンＪＣ１と同じ向きＤＪのアイコン及びウィンドウを一方のディスプレーに表示する。
また、紐付部２２１は、２つのディスプレーのうちの一方のディスプレーを、向きＤＪが９０度である第２アイコンＪＣ２Ａに対応付ける。更に具体的には、第２アイコンＪＣ２Ａと同じ向きＤＪのアイコン及びウィンドウを一方のディスプレーに表示する。
また、紐付部２２１は、２つのディスプレーのうちの他方のディスプレーを、向きＤＪが２７０度である第２アイコンＪＣ２Ｂに対応付ける。更に具体的には、第２アイコンＪＣ２Ｂと同じ向きＤＪのアイコン及びウィンドウを他方のディスプレーに表示する。
また、紐付部２２１は、２つのディスプレーのうちの他方のディスプレーを、向きＤＪが１８０度である第２アイコンＪＣ２Ｃに対応付ける。更に具体的には、第２アイコンＪＣ２Ｃと同じ向きＤＪのアイコン及びウィンドウを他方のディスプレーに表示する。
【００８４】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（２））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００８５】
（１）図１を参照して説明したように、本発明の実施形態では、「表示制御装置」はタブレット端末装置１００であるが、本発明はこれに限定されない。「表示制御装置」は、ディスプレー１１と制御部２とを備えればよい。例えば、「表示制御装置」が、パーソナルコンピューターでもよい。
【００８６】
（２）図１及び図２を参照して説明したように、本発明の実施形態では、タッチパネル１を４人のユーザーが操作するが、本発明はこれに限定されない。タッチパネル１を複数のユーザーが操作すればよい。例えば、タッチパネル１を２人のユーザーが操作してもよいし、タッチパネル１を３人のユーザーが操作してもよい。また、例えば、タッチパネル１を５人以上のユーザーが操作してもよい。
【産業上の利用可能性】
【００８７】
本発明は、表示制御装置に利用可能である。
【符号の説明】
【００８８】
１００    タブレット端末装置（表示制御装置）
１    タッチパネル
１１    ディスプレー
１２    タッチセンサー
２    制御部
２１    プロセッサー
２２    記憶部
２１１    第１表示部
２１２    判定部
２１３    第２表示部
２１４    検出部
２１５    調整部
２１６    決定部
２１７    起動部
２１８    編集部
２１９    抽出部
２２０    反映部
２２１    紐付部
ＪＣ１    第１アイコン
ＪＣ２    第２アイコン
Ｆ１    第１ファイル
Ｆ２    第２ファイル
ＤＲ、ＤＪ    向き
ＳＪ    サイズ
ＳＰ、ＳＰＡ、ＳＰＢ、ＳＰＣ、ＳＰＳ    スマートフォン（入力装置）
【図１】
2019144989.tif 000003
【図２】
2019144989.tif 000004
【図３】
2019144989.tif 000005
【図４】
2019144989.tif 000006
【図５】
2019144989.tif 000007
【図６】
2019144989.tif 000008
【図７】
2019144989.tif 000009
【図８】
2019144989.tif 000010
【図９】
2019144989.tif 000011
【図１０】
2019144989.tif 000012
【図１１】
2019144989.tif 000013
【図１２】
2019144989.tif 000014
【図１３】
2019144989.tif 000015